(57)【要約】【課題】ごみを投入した後、自動的に手洗いのできるごみ収納装置に設ける手洗い装置を提供する。【解決方法】ベースと、該ベース内に設けられ、接触制御ユニットと制御バルブとを含み、かつ該自動接触ユニットによって該制御バルブを開閉して水が吐出するか否かを制御する給水装置と、該ベース内に設けられてごみを収納するごみ収納装置とを含み構成される。【選択図】図２
0003140073.tif 000002
【実用新案登録請求の範囲】
【請求項１】
ベースと、該ベース内に設けられ、接触制御ユニットと制御バルブとを含み、かつ該自動接触ユニットによって該制御バルブを開閉して水が吐出するか否かを制御する給水装置と、該ベース内に設けられてごみを収納するごみ収納装置とを含み構成されることを特長とする、ごみ収納装置に設ける手洗い装置。
【請求項２】
前記ベースに設ける該ごみ投入口が１つか、もしくは１つ以上であって、該ごみ収納装置が該ごみ投入口に対応する収納部と、該収納部の両側に設けるスライドレールとによって構成される構成されることを特徴とする、請求項１に記載のごみ収納装置に設ける手洗い装置。
【請求項３】
前記ベース上にシンクを設け、該シンクに近接した位置に蛇口を設け、該制御バルブ中空の管体であって、一端に給水口を設け、他端に吐出を設け、かつ該制御バルブが配水管を解して水の供給元に接続し、該制御バルブ内にバルブ孔を形成し、該バルブ孔内に該バルブ孔を開閉するバルブボールを設け、該バルブボールが連動桿に連動して該バルブ孔内で回転し、該連動桿の一端が接続桿を介して該接触制御ユニットに接続し、該接触制御ユニットが作動して該接続桿を介し該連動桿を連動させ、かつ該連動桿によって該バルブボールを連動させて回転させ、該バルブ孔を開放して該配水管からの水を該蛇口に流れさせ、該接続桿の他端に受動桿を介して復帰ユニットに接続し、該復帰ユニットの回復力を調整して該接続桿と該連動桿と、該接触制御ユニットが復帰する時間を調整して該蛇口から水を吐出する時間の長さを制御するよう構成することを特徴とする、請求項１に記載のごみ収納装置に設ける手洗い装置。
【請求項４】
前記接触制御ユニット１が外部に露出するペダルと、該ペダルと連動桿とを連結する引っ張り部材とによって構成されることを特徴とする、請求項３に記載のごみ収納装置に設ける手洗い装置。
【請求項５】
前記ベース上にシンクを設け、該シンクに近接した位置に蛇口を設け、該制御バルブが中空の管体であって、一端に給水口を設け、他端に吐出を設け、かつ該制御バルブが配水管を介して水の供給元に接続し、該制御バルブ内にバルブ孔を形成し、該バルブ孔内に該バルブ孔を開閉するバルブボールを設け、該制御バルブの給水口が冷水給水口と、熱湯給水口とを具え、該制御バルブ内の該バルブボールが該は連動桿に連動して該バルブ孔内で回転し、該連動桿は一端を回転盤の一方の面に回動自在に設け、該回転盤の他方の面は連動部材の一端に回動自在に設け、該回転盤は、さらに連動支持部材によって該接触制御ユニットに接続し、該接触制御ユニットを操作して該制御バルブ内の該バルブボールを回転させて該冷水供給と該熱湯供給口からの流量、及び吐出する水の温度を制御するように構成することを特徴とする、請求項１に記載のごみ収納装置に設ける手洗装置。
【請求項６】
前記接触制御ユニットの一方の側に複数の係合部を有する多段式の係合板を設け、別途該接触制御ユニットの該係合板に近接した一端に固定部を設け、該固定部が複数の該係合部の間を移動することによって該連動部材を連動し、該バルブボールを移動させ吐出する水の量を制御するように構成することを特徴とする、請求項５に記載のごみ収納装置に設ける手洗装置。
【考案の詳細な説明】
【技術分野】
【０００１】
この考案は手洗い装置に関し、特に、手で操作することのないノータッチ式の手洗い装置であって、かつごみ収納装置に設けられ、一体に構成される手洗い装置に関する。
【背景技術】
【０００２】
一般に、水道の蛇口から給水する場合、水源から蛇口に水を供給し、蛇口の開閉させることによって蛇口からの水が吐出する状態（例えば、流量、吐出時間など）を制御する。よって、水源から正常な水の供給が行われるという状況下にあって、使用者が蛇口を制御して開放状態にすると、水が絶え間なく蛇口から吐出する状態が持続する。よって、使用者は順調に水を得ることができる。
【０００３】
但し、一般に使用者は水を用いることに対して、習慣上さほど気をつけてはいない。このため蛇口を開放する時間が長くなりすぎ、水の用量が必要以上に多くなって浪費となるか、もしくは蛇口をしっかり閉めないため水が流出する状況となり、水資源の使いすぎによる浪費を招く。
【０００４】
一方では、使用者が蛇口のつまみを回して蛇口からの水の吐出を制御することができるが、一般の公共の場所では使用者が極めて多いことから、蛇口を常に洗浄しなければ容易に汚れが溜まり、病原菌の伝染を媒介するようになる。しかも、一般にゴミ箱は蛇口などの手洗い装置とは別に設置される。このため使用者は物品を洗浄する場合、もしくは手を洗う場合に、ついでにごみを捨てることができない。係る状況は衛生的でないのみならず見た目もよくない。
【考案の開示】
【考案が解決しようとする課題】
【０００５】
この考案は、使用者がごみを捨てた後、直接手を洗浄でき、しかも手で蛇口のつまみなどに触れることのない自動方式で吐水を制御でき、手に細菌が残留することなく病原菌の感染ルートを閉ざし、衛生的で好ましい外観を有するごみ収納装置と一体に形成される手洗い装置を提供することを課題とする。
【０００６】
また、この考案は、水の吐出時間と流量を制御して節水効果の得られる手洗い装置を提供することを課題とする。
【０００７】
そこで、本考案者は従来の技術に鑑み鋭意研究を重ねた結果、ベースと、該ベース内に設けられ、接触制御ユニットと制御バルブとを含み、かつ該自動接触ユニットによって該制御バルブを開閉して水が吐出するか否かを制御する給水装置と、該ベース内に設けられてごみを収納するごみ収納装置とを含み構成される、ごみ収納装置に設ける手洗い装置によって、課題を解決できる点に着眼し、係る知見に基づいて本考案を完成させた。
【０００８】
以下この考案について具体的に説明する。請求項１に記載するごみ収納装置に設ける手洗い装置は、ベースと、該ベース内に設けられ、接触制御ユニットと制御バルブとを含み、かつ該自動接触ユニットによって該制御バルブを開閉して水が吐出するか否かを制御する給水装置と、該ベース内に設けられてごみを収納するごみ収納装置とを含み構成される。
【０００９】
請求項２に記載するごみ収納装置に設ける手洗い装置は、請求項１におけるベースに設ける該ごみ投入口が１つか、もしくは１つ以上であって、該ごみ収納装置が該ごみ投入口に対応する収納部と、該収納部の両側に設けるスライドレールとによって構成される構成される。
【００１０】
請求項３に記載するごみ収納装置に設ける手洗い装置は、請求項３におけるベース上にシンクを設け、該シンクに近接した位置に蛇口を設け、該制御バルブ中空の管体であって、一端に給水口を設け、他端に吐出を設け、かつ該制御バルブが配水管を解して水の供給元に接続し、該制御バルブ内にバルブ孔を形成し、該バルブ孔内に該バルブ孔を開閉するバルブボールを設け、該バルブボールが連動桿に連動して該バルブ孔内で回転し、該連動桿の一端が接続桿を介して該接触制御ユニットに接続し、該接触制御ユニットが作動して該接続桿を介し該連動桿を連動させ、かつ該連動桿によって該バルブボールを連動させて回転させ、該バルブ孔を開放して該配水管からの水を該蛇口に流れさせ、該接続桿の他端に受動桿を介して復帰ユニットに接続し、該復帰ユニットの回復力を調整して該接続桿と該連動桿と、該接触制御ユニットが復帰する時間を調整して該蛇口から水を吐出する時間の長さを制御するよう構成する。
【００１１】
請求項４に記載するごみ収納装置に設ける手洗い装置は、請求項３における接触制御ユニット１が外部に露出するペダルと、該ペダルと連動桿とを連結する引っ張り部材とによって構成される。
【００１２】
請求項５に記載するごみ収納装置に設ける手洗い装置は、請求項１におけるベース上にシンクを設け、該シンクに近接した位置に蛇口を設け、該制御バルブが中空の管体であって、一端に給水口を設け、他端に吐出を設け、かつ該制御バルブが配水管を介して水の供給元に接続し、該制御バルブ内にバルブ孔を形成し、該バルブ孔内に該バルブ孔を開閉するバルブボールを設け、該制御バルブの給水口が冷水給水口と、熱湯給水口とを具え、該制御バルブ内の該バルブボールが該は連動桿に連動して該バルブ孔内で回転し、該連動桿は一端を回転盤の一方の面に回動自在に設け、該回転盤の他方の面は連動部材の一端に回動自在に設け、該回転盤は、さらに連動支持部材によって該接触制御ユニットに接続し、該接触制御ユニットを操作して該制御バルブ内の該バルブボールを回転させて該冷水供給と該熱湯供給口からの流量、及び吐出する水の温度を制御するように構成する。
【００１３】
請求項６に記載するごみ収納装置に設ける手洗い装置は、請求項５における接触制御ユニットの一方の側に複数の係合部を有する多段式の係合板を設け、別途該接触制御ユニットの該係合板に近接した一端に固定部を設け、該固定部が複数の該係合部の間を移動することによって該連動部材を連動し、該バルブボールを移動させ吐出する水の量を制御するように構成する。
【考案の効果】
【００１４】
この考案による手洗い装置は、ごみ収納装置をベース内に設けるため衛生的で、好ましい外観が得られるとともに、使用者が手で水の吐出を制御する必要がないため手に細菌が残留せず、病原菌の感染ルートを閉ざすことができるという利点を有する。
【００１５】
また、この考案による手洗い装置は、水の吐出する時間と量を制御して節水の効果が得られるとともに、水温を制御することができ、実用的であるという利点を有する。
【考案を実施するための最良の形態】
【００１６】
この考案は、ごみ収納装置に設けられ、使用者が手で操作することなく手を洗うことのできる手洗い装置を提供するものであって、ベースと、該ベース内に設けられ、接触制御ユニットと制御バルブとを含み、かつ該自動接触ユニットによって該制御バルブを開閉して水が吐出するか否かを制御する給水装置と、該ベース内に設けられてごみを収納するごみ収納装置とを含み構成される。係る手洗い装置の構造と特徴を説明するために、具体的な実施例を挙げ、図面を参照にして以下に説明する。
【００１７】
この考案によるごみ収納装置に設ける手洗い装置の構造を図１、図２に開示する。図面によれば、この考案による装置は、ベース１と、給水装置２と、ごみ投入口３と、ごみ収納装置４とを含み構成される。
【００１８】
ベース１はシンク１１と、シンク１１に近接した位置に設けた蛇口１２とを具える。
【００１９】
給水装置２はベース１内に設け、接触制御ユニット２１と、制御バルブ２２とを具え、接触制御ユニット２１によって制御バルブ２２を制御し、これによって、一端を水源に接続する配水管５から水が蛇口１２に供給されるか否かを制御する。
【００２０】
ごみ投入口３はベース１上に形成され、使用上の利便性と好ましい外観を提供するという効果を有する。
【００２１】
ごみ収納装置４はベース１内において投入口３の下方に設けられ、使用者がごみ６をごみ投入口３に投入すると、該投入されたごみが直接ごみ収納装置４に落ちる。よって、好ましい外観が得られ衛生的である。
【００２２】
したがって、使用者がごみ６を投入口３から直接投入した後、手洗いの動作を行うことができ、かつ使用者が手で接触する必要のない方式で水の吐出を制御するため、手に細菌が残留することなく、病原菌の感染ルートを閉ざすことができる。さらに、ごみ収納４とごみ投入口３とはベース１において一体に構成されるため、衛生的で好ましい外観を得ることができるという効果を有する。
【００２３】
ベース１は、投入口３を形成する位置にカバー１３を設け、常時カバー１３がごみ投入口３を遮蔽する。このため、例えば蚊などの昆虫類が発生したり、ごみの悪臭が散ったりすることが防げ、美観と衛生を保つことができる。
【００２４】
また、図３に開示するように、ごみ収納装置４は収納部４１と、該収納部４１の両側に設けられ、収納部４１の両側に設けられ、収納部４１を摺動させるためのスライドレール４２とを具え、かつ収納部４１の外方向の側面には把手４３を設ける。使用時には収納部４１内にゴミ箱を設置するか、もしくは収納部４１内に直接ゴミ袋７を設置する、ごみ袋７を交換する場合は把手４３を掴んで収納部４１手前に引くことによって交換することができる。
【００２５】
当然のことながら、図４に開示するように、複数のごみ投入口３を設けそれぞれのごみ投入口に対応して、その下方に複数の収納部４１を設けてもよい。係る構造によってごみを分類して収納する機能が得られる。
【００２６】
給水装置２は、図２に開示するように制御バルブ２２が中空の管体であって、その一端に給水口２３を設け、他端に吐出口２４を設ける。制御バルブ２２は水の供給元に一端を接続する配水管５と蛇口１２とに接続する。
【００２７】
図５、６に開示するよう、制御バルブ２２内にはバルブ孔２２１を形成する。バルブ孔２２１内にはバルブ孔２２１を開閉するバルブボール２２２を設ける。バルブボール２２２は連動桿２５に連動してバブル孔２２１内において回転する。連動桿２５は接続桿２６を介して接触制御ユニット２１に接続する。
【００２８】
接触制御ユニット２１が作動すると、接続桿２６が連動桿２５を連動させ、連動桿２５がバルブボール２２２を回転させてバブル孔２２１が開放状態になる。よって、配水管５を介して水が蛇口１２に至る。
【００２９】
また、接触制御ユニット２１の他端には、受動桿２７を介して復帰ユニット２８を設ける。復帰ユニット２８は回復作用を有し、接続桿２６と連動桿２５と接触制御ユニット２１とが本来の位置に復帰する時間を調整することができる。よって、蛇口１２から水が吐出する時間の長さを制御することができる。
【００３０】
図２に開示する実施の形態において、接触制御ユニット２１は外部に露出するペダル２１１と、ペダル２１１と連動桿２５とを連結する引っ張り部材２１２とによって構成される。実施の形態において、引っ張り部材２１２はワイヤか、バネか、もしくは高い応力と弾性を有するプレート状の鋼であってもよく、一端を回転軸に軸支されるカム２１３に接続する。復帰ユニット２８はシリンダ装置か、もしくは図７に開示するように弾性体であってもよい。
【００３１】
手洗いを行う場合、使用者は蛇口１２に触れる必要がなく、ペダル２１１を踏むことによって引っ張り部材２１２を作動させると、引っ張り部材２１２の運動がカム１３によって方向を転換して接続桿２６が引っ張られ、同時に接続桿２６が連動桿２５と受動桿２７を下方に移動させ、連動桿２５によってバルブボール２５が連動して回転し、バルブ孔２２１が開放状態になり、図６に開示するように配水管５からの水が給水口２３から吐出口２４に流れる。
【００３２】
また、蛇口１２から吐出される水の量は、復帰ユニット２８の回復力を調整することによって制御できる。例えば、復帰ユニット２８の作用の初期における力を小さく調整すると回復力が大きくなる。よって、使用者は必要以上に大きな力を必要としないで接触制御ユニット２１を操作し連動桿２５を連動させて、バルブ孔２２１を開放させることができ、水が蛇口１２から吐出する。この場合、復帰ユニット２８の回復力が大きいため、バルブ孔２２１の閉塞時間が延長され、水の吐出する時間が長くなり吐出する水の量が増加する。
【００３３】
復帰ユニット２８を調整し回復力を大きくすると、バルブ孔２２１が閉塞する時間が短くなり、水が吐出する時間が短くなって水の吐出する量が少なくなる。したがって、装置を設置する地域、もしくは使用者の習慣の違いによって復帰ユニット２８の作用の初期における力と回復力の大きさを調整し、水の吐出する時間と量を調整して節水の効果を達成することができる。
【００３４】
また、図８、図９に開示する実施の形態においては、接触制御ユニット２１は、外部接触部材２１４と、及び外部接触部材２１４と連動桿２５とを連結する引っ張り部材２１２とによって構成し、同様に手洗いの機能を達成する。かかる構成は、身体障該者、もしくは行動が不便な使用者が下肢、もしくはその他物件で外部接触部材２１４を押し圧して給水する。
【００３５】
また、図１０、図１１に開示するように、制御バルブ２２の給水口２３は冷水給水口２３１と熱湯給水口２３２を具える。制御バルブ２２内のバルブボール２２２は連動桿２５に連動してバルブ孔２２１内で回転する。連動桿２５は一端を回転盤２９１の一方の面に回動自在に設ける。回転盤２９１の他方の面には連動部材２９２の一端に回動自在に設ける。
【００３６】
別途、回転盤２１９は、さらに連動支持部材２９３によって接触制御ユニット２１に接続する。よって、接触制御ユニット２１を操作して制御バルブ２２内のバルブボール２２２を回転させることができる。
【００３７】
図１１に開示するように、使用者が足で接触制御ユニット２１を動かして引張り部材２９３を作動させ、回転盤２９１でバルブボールを連動させて回転させると、孔部の対応する位置関係によって冷水供給口２３１、熱湯供給口２３２からの流量、及び吐出する水の温度を制御することができる。
【００３８】
また、図１０に開示するように、接触制御ユニット２１の一方の側に複数の係合部２９４を有する多段式の係合板２９５を設け、別途接触制御ユニット２１の係合板２９５に近接した一端に固定部２１５を設ける。使用者が接触制御ユニット２１を踏むと、固定部２１５が複数の係合部２９４の間を移動することによって連動部材２９２を連動し、バルブボール２９２を移動させ、バルブボール２９２の孔部に対する位置関係によって吐出する水の流量を制御する。
【００３９】
また、この考案の手洗い装置は、実施例における連動桿の作動を利用する以外に、赤外線を感知して起動する装置を用いても同様の効果が得られる。
【００４０】
以上はこの考案の好ましい実施の形態であって、この考案の実施の範囲を限定するものではない。よって、業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００４１】
【図１】この考案による手洗い装置の外観を示した説明図
【図２】図１に開示する手洗い装置の構造を示した断面説明図
【図３】図１に開示する手洗い装置における制御バルブの構造を示した説明図
【図４】他の実施の形態による手洗い装置の外観を示した説明図
【図５】この考案における制御バルブの構造を示した説明図
【図６】この考案における制御バルブの水の流れを示した説明図
【図７】図４に開示する手洗い装置の構造を示した断面説明図
【図８】その他実施の形態による手洗い装置の外観を示した説明図
【図９】図８に開示する手洗い装置の構造を示した断面説明図
【図１０】別の実施の形態による手洗い装置の外観を示した説明図
【図１１】図１０に開示する手洗い装置の動作を示した説明図
【符号の説明】
【００４２】
１          ベース
１１        シンク
１２        蛇口
１３        カバー
２１        接触制御ユニット
２１１      ペダル
２１２      引っ張り部材
２１３      カム
２１４      外部接触部材
２１５      固定板
２２        制御バルブ
２２１      バルブ孔
２２２      バルブボール
２３        給水口
２３１      冷水供給口
２３２      熱湯給水口
２４        吐出口
２５        連動桿
２６        接続桿
２７        受動桿
２８        復帰ユニット
２９１      回転盤
２９２      連動部材
２９３      連動支持部材
２９４      係合部
２９５      係合板
３          ごみ投入口
４          ごみ収納装置
４１        収納部
４２        スライドレール
４３        把手
５          配水管
６          ごみ
【図１】
0003140073.tif 000003
【図２】
0003140073.tif 000004
【図３】
0003140073.tif 000005
【図４】
0003140073.tif 000006
【図５】
0003140073.tif 000007
【図６】
0003140073.tif 000008
【図７】
0003140073.tif 000009
【図８】
0003140073.tif 000010
【図９】
0003140073.tif 000011
【図１０】
0003140073.tif 000012
【図１１】
0003140073.tif 000013